(57)【要約】【課題】走行機体からの動力を農作業機の作業部に伝達するか、農作業機以外の装置のために出力するかを切換可能とする農作業機を提供することを目的とする。【解決手段】走行機体からの動力が少なくとも入力軸１を介し伝達される第１ベベルギア３と、第１ベベルギア３とかみあい動力が伝達される第２ベベルギア４１と、第２ベベルギア４１の回転軸線上の回転軸を有し第２ベベルギア４１に対して片側に位置し動力を当該農作業機の作業部側へ伝達する駆動軸２１と、第２ベベルギア４１の回転軸線上の回転軸を有し第２ベベルギア４１に対して駆動軸２１とは逆側に位置し動力を当該農作業機以外の装置のために出力する外部出力軸３１と、第２ベベルギア４１の動力を駆動軸２１に伝達するか外部出力軸３１に伝達するかのいずれかを切換可能とするクラッチ部２０と、を備えることで上記課題を解決する。【選択図】図２
2008263908.tif 000002
【特許請求の範囲】
【請求項１】
走行機体の後部に装着され、前記走行機体からの動力により作業部で作業を行うことが可能な農作業機において、
前記走行機体からの動力が少なくとも入力軸を介し伝達される第１のギアと、当該第１のギアとかみあい動力が伝達される第２のギアと、当該第２のギアの回転軸線上の回転軸を有し当該第２のギアに対して片側に位置し動力を当該農作業機の作業部側へ伝達する駆動軸と、当該第２のギアの回転軸線上の回転軸を有し当該第２のギアに対して前記駆動軸とは逆側に位置し動力を当該農作業機以外の装置のために出力する外部出力軸と、前記第２のギアの動力を前記駆動軸に伝達するか前記外部出力軸に伝達するかのいずれかを切換可能とするクラッチ機構と、を備えることを特徴とする農作業機。
【請求項２】
請求項１に記載の農作業機において、前記クラッチ機構の切換は、前記クラッチ機構に係合するクラッチ切換レバーの操作によりなされることを特徴とする農作業機。
【請求項３】
請求項１に記載の農作業機において、前記クラッチ機構の切換は、前記外部出力軸を回転軸の軸線方向に移動させることによりなされることを特徴とする農作業機。
【請求項４】
請求項３に記載の農作業機において、前記外部出力軸の軸線方向の移動は、前記外部出力軸の前記第２のギアとは反対側の端部に前記農作業機以外の装置のボスが装着されることによりなされることを特徴とする農作業機。
【請求項５】
請求項４に記載の農作業機において、前記農作業機以外の装置の取付けは、ボルトの締め付けによらず可能であることを特徴とする農作業機。
【発明の詳細な説明】
【技術分野】
【０００１】
本発明は、農作業機に関し、特に、走行機体からの動力を農作業機の作業部に伝達するか、農作業機以外の装置のために出力するかを切換可能とする農作業機に関する。
【背景技術】
【０００２】
図９は、公知例である代かき機（ハロー）の側面図であり、図１０は公知例である代かき機の伝動を示す構造図である。代かき機はトラクタ等の走行機体の後部に装着され、走行機体からのＰＴＯ出力は入力軸１から、第１ベベルギア３、第２ベベルギア４、駆動軸（公知例）１００、第１スプロケット１０１、チェーン１０５、第２スプロケット１０２、を介して耕耘軸１０４に伝達され、耕耘軸１０４が回転することにより耕耘部１０６において代かき作業を行う。駆動パイプ５内には、駆動軸１００を有するが、補強パイプ６は、強度や外観を保つためのものあり、内部にはなにも有さない構造となっている。これらの構成は、ロータリーでも同じであり、ロータリーや代かき機では、一般的な構成である。
【０００３】
一方、特許文献１には、ロータリーにおいて耕耘軸の動力を、連動媒体を介して鎮圧ローラに伝達し鎮圧ローラを回転する機構の整地装置が記載されている。
【特許文献１】特開平５−３１６８０４号公報
【発明の開示】
【発明が解決しようとする課題】
【０００４】
トラクタ等の走行機体に装着する農作業機において、走行機体からの動力を受けた農作業機から当該動力を出力し、出力した動力をポンプや発電機などの他の用途に転用できれば効率的、経済的に望ましい場面は多く存在する。
【０００５】
しかし、特許文献１記載の整地装置のように、鎮圧ローラのための出力を得るには、耕耘軸を回転させなければならず、この出力をポンプや発電機のための出力に転用すると、随時耕耘軸が回転していることになり、大変危険である。  
【０００６】
上記課題に鑑みて、本発明は、走行機体からの動力を農作業機の作業部に伝達するか、農作業機以外の装置のために出力するかを切換可能とする農作業機を提供することを目的とする。
【課題を解決するための手段】
【０００７】
上記目的を達成するため、本発明の農作業機は、走行機体の後部に装着され、前記走行機体からの動力により作業部で作業を行うことが可能な農作業機において、前記走行機体からの動力が少なくとも入力軸を介し伝達される第１のギアと、当該第１のギアとかみあい動力が伝達される第２のギアと、当該第２のギアの回転軸線上の回転軸を有し当該第２のギアに対して片側に位置し動力を当該農作業機の作業部側へ伝達する駆動軸と、当該第２のギアの回転軸線上の回転軸を有し当該第２のギアに対して前記駆動軸とは逆側に位置し動力を当該農作業機以外の装置のために出力する外部出力軸と、前記第２のギアの動力を前記駆動軸に伝達するか前記外部出力軸に伝達するかのいずれかを切換可能とするクラッチ機構と、を備えることを特徴とする。
【０００８】
さらに本発明の農作業機は、前記クラッチ機構の切換は、前記クラッチ機構に係合するクラッチ切換レバーの操作によりなされることを特徴とする。さらに本発明の農作業機は、前記クラッチ機構の切換は、前記外部出力軸を回転軸の軸線方向に移動させることによりなされることを特徴とする。さらに本発明の農作業機は、前記外部出力軸の軸線方向の移動は、前記外部出力軸の前記第２のギアとは反対側の端部に前記農作業機以外の装置のボスが装着されることによりなされることを特徴とする。さらに本発明の農作業機は、前記農作業機以外の装置の取付けは、ボルトの締め付けによらず可能であることを特徴とする。
【発明の効果】
【０００９】
本発明によれば、農作業機において、走行機体からの動力を農作業機の作業部に伝達するか、農作業機以外の装置のために出力するかを切換可能となる。これにより、農作業機以外の装置への出力を安全に行える。
【発明を実施するための最良の形態】
【００１０】
本発明を実施するための最良の形態を説明する。
【実施例１】
【００１１】
図１は、本発明の実施例１のクラッチ部を示す図である。クラッチ部２０は、駆動側クラッチ１０と、外部出力側クラッチ１１を有し、各クラッチは円筒形であり、内側に駆動側クラッチスプライン１４、外部出力側クラッチスプライン１５を有し、外側には、駆動側クラッチ溝１８、外部出力側クラッチ溝１９を有する。クラッチフレーム１２の駆動側クラッチ係合部１６と駆動側クラッチ溝１８、クラッチフレーム１２の外部出力側クラッチ係合部１７と外部出力側クラッチ溝１９が係合することにより、クラッチ切換レバー１３の操作により駆動側クラッチ１０と、外部出力側クラッチ１１が移動可能な構成となっている。
【００１２】
図２は、本発明の実施例１のミッションケース２近傍の第１の要部拡大断面図である。第１ベベルギア３と第２ベベルギア（実施例１）４１は歯車がかみ合っており、第１ベベルギアが装着されている入力軸１からの動力を伝達できる。第２ベベルギア４１には同一軸芯にベベル軸４５が装着されており、第２ベベルギア４１の回転により、当該ベベル軸４５も回転する。そして、ベベル軸４５は第２ベベルギア４１の両側から突き出しており、この第２ベベルギア４１をはさんだ両端には、ベベル軸出力側スプライン４６、ベベル軸駆動側スプライン４７を有する。
【００１３】
一方、第２ベベルギア４１の片側（図２では左側）には、ベベルギア４１の回転軸線上の回転軸を有する駆動軸（実施例１）２１が存在し、駆動軸２１の第２のベベルギア４１側には駆動軸スプライン２２を有する。また、第２ベベルギア４１の駆動軸２１の反対側（図２では右側）には、第２ベベルギア４１の回転軸線上の回転軸を有する外部出力軸（実施例１）３１が存在し、外部出力軸３１の第２ベベルギア４１側には、外部出力軸ベベル側スプライン３２を有する。
【００１４】
そして、駆動側クラッチ１０は駆動軸２１とベベル軸４５の間に、外部出力側クラッチ１１はベベル軸４５と外部出力軸３１の間に構成され、駆動側クラッチスプライン１４と駆動軸スプライン２２、駆動側クラッチスプライン１４とベベル軸駆動側スプライン４７、外部出力側クラッチスプライン１５と外部出力軸ベベル側スプライン３２、外部出力側クラッチスプライン１５とベベル軸出力側スプライン４６がそれぞれかみ合い可能となっている。
【００１５】
図２の状態においては、クラッチ切換レバー１３を駆動側（図２の左側）に移動さている。この場合、駆動側クラッチスプライン１４と駆動軸スプライン２２、駆動側クラッチスプライン１４とベベル軸駆動側スプライン４７がかみ合い、ベベル軸４５からの動力は駆動軸２１に伝達される。一方、外部出力側クラッチスプライン１５とベベル軸出力側スプライン４６はかみ合っているものの、外部出力側クラッチスプライン１５と外部出力軸ベベル側スプライン３２はかみ合っておらず、ベベル軸４５からの動力は、外部出力軸３１には伝達されない。
【００１６】
図３は、本発明の実施例１のミッションケース２近傍の第２の要部拡大断面図である。図２との違いは、クラッチ切換レバー１３を出力側（図２の右側）に移動さている点である。この場合、外部出力側クラッチスプライン１５とベベル軸出力側スプライン４６、外部出力側クラッチスプライン１５と外部出力軸ベベル側スプライン３２がかみ合っており、ベベル軸４５からの動力は外部出力軸３１に伝達される。一方、駆動側クラッチスプライン１４とベベル軸駆動側スプライン４７はかみ合っているものの、駆動側クラッチスプライン１４と駆動軸スプライン２２はかみ合っておらず、ベベル軸４５からの動力は、駆動軸２１には伝達されない。なお、クラッチ切換レバー１３の取付けは、クラッチ部２０が上記のように作用するように取付ればよく、その取付け方法は特定されない。
【００１７】
図４は、本発明の実施例１の外部出力軸の出力部近傍の要部拡大断面図である。図４は、外部出力軸３１の出力側（図２，３における右側の延長側）にあたる。外部出力軸３１の出力側の端部には、外部出力軸出力側スプライン３３を有する。そして、ポンプ５１の取付は、複数のボルト５２により、出力部フランジ６０や出力部ブラケット５９に固定される構成となっている。外部出力軸出力側スプライン３３はポンプ５１のボス５３の内部に有するスプラインとかみ合い、外部出力軸３１からの動力は、ポンプ５１側に伝達される。また、カバー５４は、出力部フランジ６０や出力部ブラケット５９にカバー取付板５５が固定されることにより、装着される。また、ポンプ５１の取付けは、後述する実施例２の図７と８に示されているバネ５７を有する取付ボス５６の構造のものでも適用できる。
【００１８】
このように、実施例１では、クラッチ部２０のクラッチ切換レバー１３を、駆動側に移動させたとき（図２の状態のとき）は、入力軸１を介して得られるトラクタ等の走行機体の動力を、駆動軸２１に伝達可能となり、駆動軸２１から当該農作業機の作業部へ動力が伝達される。一方、クラッチ部２０のクラッチ切換レバー１３を、出力側に移動させたとき（図３の状態のとき）は、入力軸１から得られる走行機体からの動力を、外部出力軸３１に伝達可能となり、さらに、外部出力軸３１から、ポンプ５１へ動力を外部出力可能となる。
【実施例２】
【００１９】
図５は、本発明の実施例２のミッションケース２近傍の第１の要部拡大断面図である。第１ベベルギア３と第２ベベルギア（実施例２）６６は歯車がかみ合っており、第１ベベルギア３が装着されている入力軸１からの動力を伝達できる。第２ベベルギア６６には、通し孔６７と、出力側（図５の右側）にベベルギア爪クラッチ６８と、駆動側（図５の左側）の内側にベベルギアスプライン６９を有している。
【００２０】
一方、第２ベベルギア６６の片側（図５では左側）には、第２ベベルギア６６の回転軸線上の回転軸を有する駆動軸（実施例２）９１が存在し、駆動軸９１の第２ベベルギア６６側には段付部９３より先端に駆動軸スプライン９２を有し、さらにその先端には、先端部９４を有する。クラッチ７１は円筒形で内側にはクラッチ内側スプライン７２を有し、外側にはクラッチ外側スプライン７３を有する。クラッチ７１は、駆動軸スプライン９２とクラッチ内側スプライン７２がかみ合うように装着され、クラッチバネ７６は、クラッチ７１と段付部９３の間に装着されている。また、クラッチ外側スプライン７３とベベルギアスプライン６９はかみ合い可能となっている。
【００２１】
また、第２ベベルギア６６の駆動軸９１の反対側（図５では右側）には、第２ベベルギア６６の回転軸線上の回転軸を有する外部出力軸（実施例２）８１が存在し、外部出力軸８１の第２ベベルギア６６側には、先端に先端円筒部８４を有し、その外側に外部出力軸爪クラッチ８３を有し、先端円筒部８４の内側は空洞部８２となっている。先端円筒部８４とクラッチ７１の間には、カラー７５が装着され、これらの内側には駆動軸９１の先端部９４が挿入可能となっている。
【００２２】
図５の場合、クラッチ７１は、クラッチバネ７６に付勢され、クラッチ外側スプライン７３は、ベベルギアスプライン６９とかみ合い、さらに、クラッチ内側スプライン７２は、
駆動軸スプライン９２にかみ合い、第２ベベルギア６６からの動力は、駆動軸９１へ伝達される。
【００２３】
図６は、本発明の実施例２のミッションケース２近傍の第２の要部拡大断面図である。図５との違いは、外部出力軸８１が、第２ベベルギア６６側（図６の左側）に移動したため、外部出力軸８１の先端円筒部８４が、カラー７５を駆動軸９１側へ押し、さらに、カラー７５がクラッチ７１をクラッチバネ７６の力に抗して押されるため、クラッチ外側スプライン７３とベベルギアスプライン６９がかみ合わなくなり、第２ベベルギア６６の動力は駆動軸９１に伝達されなくなる。一方、外部出力軸８１が、第２ベベルギア６６側（図６の左側）に移動したため、外部出力軸爪クラッチ８３とベベルギア爪クラッチ６８がかみ合い、第２ベベルギア６６の動力は外部出力軸８１に伝達されるようになる。
【００２４】
図７は、本発明の実施例２の外部出力軸８１の出力部とミッションケース２の要部拡大断面図である。図８は、図７におけるＡ視断面図である。外部出力軸８１の出力側の端部には、出力側スプライン８５を有する。出力側フランジ６２や出力側ブラケット６１には、図８に示されるような、ピン孔６３と回転溝６４を複数有しこれらは、通し孔となっている。ポンプ５１の取付は、複数のピン５８を有するポンプ５１におけるピン５８を、ピン孔６３に差込、回転溝６４に沿って回転させる。そして、回転溝６４にピン５８の頭部が引っかかるようになっている。一方、出力側スプライン８５はポンプ５１の取付ボス５６の内部に有するスプラインとかみ合い、さらに、取付ボス５６の内部には、バネ５７を有する。このバネ５７により、外部出力軸８１の端部を、第２ベベルギア６６側に付勢し、さらに、ポンプ５１は入力軸１とは反対の方向に付勢される。これにより、ポンプ５１は押しながら回転することにより取付けられると同時に、外部出力軸８１を第２ベベルギア６６側に押すことができ、外部出力軸８１からの動力は、ポンプ５１側に伝達することを可能とする。また、カバー５４は、出力側フランジ６２や出力側ブラケット６１にカバー取付板５５が固定されることにより、装着される。また、ポンプ５１の取付けは、上述の実施例１の図４示されているバネ５７を有しないボス５３の構造のものでも適用できる。この場合、外部出力軸８１は、ボス５３の取付時の力により移動し、クラッチ７１がポンプ５１を取付けたときに図６の状態になるように設計される。
【００２５】
このように、実施例２では、ポンプ５１を取付けない場合は、クラッチバネ７６により、図５の状態となり、入力軸１を介して得られる走行機体からの動力を、駆動軸９１に伝達し、さらに、駆動軸９１から当該農作業機の作業部へ動力が伝達され農作業が可能となる。一方、ポンプ５１を取付けた場合は、ポンプ５１のバネ５７の力により外部出力軸８１は、クラッチバネ７６の力に抗して第２ベベルギア６６側へ押され、入力軸１を介して得られる走行機体からの動力を外部出力軸８１に伝達し、さらに、外部出力軸８１から、ポンプ５１へ外部出力可能となる。
【００２６】
上記、実施例１、実施例２いずれも、上記に示された部分以外の発明の構成は、例えば図９や図１０の代かき機を適用できる。つまり、図１０における、ミッションケース２内部や補強パイプ６の右側の構成を上述した実施例１や２を適用する。また、代かき機以外でもロータリーでも同様の伝動の構成であるので適用可能である。さらに、実施例１や２の第２ベベルギア４１、６６は、例えば、ベベルギアからの動力を一段変速した後の平歯車でも適用できる。すなわち、本発明を適用できる構成は、走行機体からの動力を、ギアを介し、ギアの回転軸線上の回転軸を有し当該ギアに対して片側に位置し動力を当該農作業機の作業部側へ伝達する駆動軸と、ギアの回転軸線上の回転軸を有し当該ギアに対して前記駆動軸とは逆側に位置し動力を当該農作業機以外の装置のために出力する外部出力軸とを構成可能な作業機である。
【００２７】
また、実施例１、実施例２いずれも、上記外部出力に係る装置はポンプ５１を示したが、これに限らず、発電機など、回転を動力源として得られる装置に適用できる。ポンプの場合、例えば洗車装置に適用できる。
【図面の簡単な説明】
【００２８】
【図１】本発明の実施例１のクラッチ部を示す図である。
【図２】本発明の実施例１のミッションケース近傍の第１の要部拡大断面図である。
【図３】本発明の実施例１のミッションケース近傍の第２の要部拡大断面図である。
【図４】本発明の実施例１の外部出力軸の出力部近傍の要部拡大断面図である。
【図５】本発明の実施例２のミッションケース近傍の第１の要部拡大断面図である。
【図６】本発明の実施例２のミッションケース近傍の第２の要部拡大断面図である。
【図７】本発明の実施例２の外部出力軸の出力部とミッションケースの要部拡大断面図である。
【図８】図７におけるＡ視断面図である。
【図９】公知例である代かき機の側面図である。
【図１０】公知例である代かき機の伝動を示す構造図である。
【符号の説明】
【００２９】
３    第１ベベルギア
１０  駆動側クラッチ
１１  外部出力側クラッチ
２０  クラッチ部
２１  駆動軸（実施例１）
３１  外部出力軸（実施例１）
４１  第２ベベルギア（実施例１）
５１  ポンプ
６６  第２ベベルギア（実施例２）
６８  ベベルギア爪クラッチ
７１  クラッチ
７６  クラッチバネ
８１  外部出力軸（実施例２）
８３  外部出力軸爪クラッチ
９１  駆動軸（実施例２）
９２  駆動軸スプライン
【図１】
2008263908.tif 000003
【図２】
2008263908.tif 000004
【図３】
2008263908.tif 000005
【図４】
2008263908.tif 000006
【図５】
2008263908.tif 000007
【図６】
2008263908.tif 000008
【図７】
2008263908.tif 000009
【図８】
2008263908.tif 000010
【図９】
2008263908.tif 000011
【図１０】
2008263908.tif 000012